(57)【要約】【課題】多くの競技が行われる多目的競技場であっても、各種競技に合わせて、きわめて簡単かつ効率的に、しかも間違い無くロープ、ワイヤ等のガイド用索類の張設作業が行えるようにする。【解決手段】想定する競技フィールドライン毎に、コーナー部及び交点部を含む標点位置に埋設された識別情報を持つ無線ＩＣタグ２と、この無線ＩＣタグ２の埋設位置を地表から視認可能に設けられたマーカー３と、前記無線ＩＣタグ２の識別情報を読み取るリード装置５と、該リード装置５と接続されるとともに、予め競技毎に、前記識別情報を持つ無線ＩＣタグ２の埋設位置と、競技のフィールドラインの標点位置との対応情報とが記憶され、前記リード装置５を介して読み取った無線ＩＣタグ２の位置情報を想定している競技のフィールドラインとの対応で前記モニタ上に表示可能とした可搬型コンピュータ４又は記憶・演算機能を備える表示機器とからなる。【選択図】図２
2008188135.tif 000002
【特許請求の範囲】
【請求項１】
多目的競技場において各種競技毎にラインを設置するためのライン設置支援システムであって、
各種競技のフィールドライン毎に、コーナー部及び交点部を含む標点位置に埋設された識別情報を持つ無線ＩＣタグと、この無線ＩＣタグの埋設位置を地表から確認可能とするために設けられたマーカーと、前記無線ＩＣタグの識別情報を読み取るリード装置と、該リード装置と接続されるとともに、予め競技毎に、前記識別情報を持つ無線ＩＣタグの埋設位置と、競技のフィールドラインの標点位置との対応情報とが記憶され、前記リード装置を介して読み取った無線ＩＣタグの位置情報をライン引きを行う競技のフィールドラインとの対応で前記モニタ上に表示可能とした可搬型コンピュータ又は記憶・演算機能を備える表示機器とからなることを特徴とする多目的競技場におけるライン設置支援システム。
【請求項２】
前記可搬型コンピュータは、前記リード装置を介して読み取った無線ＩＣタグの位置情報を前記モニタ上に表示する他に、現在ライン引きを行っているフィールドラインの次の標点位置までの方向と距離を表示可能としてある請求項１記載の多目的競技場におけるライン設置支援システム。
【請求項３】
前記記憶・演算機能を備える表示機器は、携帯情報端末、携帯電話である請求項１、２いずれかに記載の多目的競技場におけるライン設置支援システム。
【発明の詳細な説明】
【技術分野】
【０００１】
本発明は、学校の総合グラウンドや総合競技場などの多目的競技場において、各競技に合わせて競技フィールドのラインを短時間で効率的に引けるようにしたライン設置支援システムに関する。
【背景技術】
【０００２】
学校の総合グラウンドや総合競技場などの多目的競技場においては、例えばサッカー、ラグビー、野球、バスケットボール、バレーボール、ラクロス、アメフトなど多種の競技が行われる。その際、競技フィールドに目的とする競技に合わせてラインを設置する必要がある。ラインの設置は、ラインカーによって石灰やペイントを所定幅でライン状に散布したり、布や紐、面ファスナー、着色した人工芝を配置することにより行われるが、これに先だって、競技に応じたフィールド計測を行い、競技ラインに沿ってガイドとなるロープを張設しておき、このロープに沿って前記ラインカーを移動させるようにする。
【０００３】
しかし、この方法の場合は、競技に応じたフィールド計測及びガイドロープの張設作業に多くの時間と手間が掛かるなどの問題があった。そこで、近年はフィールドにマーカーを埋め込んでおき、このマーカーに従ってガイドロープを張設することが行われている。例えば、下記特許文献１では、サッカー場のラインマーキングの例であるが、図４(A)に示されるように、競技フィールドの外側であってかつラインの延長位置に予めマーキングポスト５０，５０…を埋め込んでおき、このマーキングポスト５０，５０…に隣接してピンを突き刺して、対向するピン間にロープ５１を張るようにする。このようにして図４(B)に示されるように、１４本のロープ５１を張設したならば、前記ロープ５１に沿ってラインカーを移動させることが記載されている。
【特許文献１】特開２００３−１１１８８４号公報
【発明の開示】
【発明が解決しようとする課題】
【０００４】
しかしながら、上記特許文献１のように、サッカー場に限定された競技場の場合は問題は生じないが、各種の競技が行われる多目的競技場に適用した場合は、競技種に比例して多数のマーキングポストが埋設されることになり、判別が非常に煩雑になるとともに、ミスが起こり易いなどの問題があった。また、マーキングポストが競技の邪魔になるなどの問題もあった。
【０００５】
そこで本発明の主たる課題は、多くの競技が行われる多目的競技場であっても、各種競技に合わせて、きわめて簡単かつ効率的に、しかも間違い無くロープ、ワイヤ等のガイド用索類の張設作業が行えるようにすることにある。
【課題を解決するための手段】
【０００６】
前記課題を解決するために請求項１に係る本発明として、多目的競技場において各種競技毎にラインを設置するためのライン設置支援システムであって、
各種競技のフィールドライン毎に、コーナー部及び交点部を含む標点位置に埋設された識別情報を持つ無線ＩＣタグと、この無線ＩＣタグの埋設位置を地表から確認可能とするために設けられたマーカーと、前記無線ＩＣタグの識別情報を読み取るリード装置と、該リード装置と接続されるとともに、予め競技毎に、前記識別情報を持つ無線ＩＣタグの埋設位置と、競技のフィールドラインの標点位置との対応情報とが記憶され、前記リード装置を介して読み取った無線ＩＣタグの位置情報をライン引きを行う競技のフィールドラインとの対応で前記モニタ上に表示可能とした可搬型コンピュータ又は記憶・演算機能を備える表示機器とからなることを特徴とする多目的競技場におけるライン設置支援システムが提供される。
【０００７】
上記請求項１記載の発明によれば、フィールドに埋設された無線ＩＣタグの識別情報を読み取ると、可搬型コンピュータ内で処理され、ライン引きを行う競技のフィールドラインとの対応でその位置情報がモニタ上に表示されるため、標点間を繋ぐように無線ＩＣタグを順次読み取ることによりライン引きに必要なロープ等のガイド索類を、間違いなく、かつきわめて簡単かつ効率的に張設することが可能となる。
【０００８】
また、本支援システムでは、無線ＩＣタグをフィールド地盤内に埋設するものであるため、競技により移動したりすることもない。
【０００９】
請求項２に係る本発明として、前記可搬型コンピュータは、前記リード装置を介して読み取った無線ＩＣタグの位置情報を前記モニタ上に表示する他に、現在ライン引きを行っているフィールドラインの次の標点位置までの方向と距離を表示可能としてある請求項１記載の多目的競技場におけるライン設置支援システムが提供される。
【００１０】
上記請求項２記載の発明によれば、前記リード装置を介して読み取った無線ＩＣタグの位置情報を前記モニタ上に表示する他に、現在ライン引きを行っている競技の次の標点位置までの方向と距離が表示されるため、次の標点を簡単に見つけることができ、作業が効率化する。
【００１１】
請求項３に係る本発明として、前記記憶・演算機能を備える表示機器は、携帯情報端末、携帯電話である請求項１、２いずれかに記載の多目的競技場におけるライン設置支援システムが提供される。
【００１２】
上記請求項３記載の発明は、記憶・演算機能を有する携帯情報端末、携帯電話を可搬型コンピュータの代替えとして使用するものである。
【発明の効果】
【００１３】
以上詳説のとおり本発明によれば、多くの競技が行われる多目的競技場であっても、各種競技に合わせて、きわめて簡単かつ効率的に、しかも間違い無くロープ、ワイヤ等の索類の張設作業が行えるようになり、ラインの設置作業を効率化することができる。
【発明を実施するための最良の形態】
【００１４】
以下、本発明の実施の形態について図面を参照しながら詳述する。
【００１５】
図１はサッカーの場合のフィールドライン１を示す平面図、図２は本支援システムの構成図である。
【００１６】
本支援システムでは、先ず各種競技のフィールドライン毎に、フィールドラインのコーナー部及び交点部、円の中心部などを含むライン引きに必要な標点位置に、図２に示されるように、識別情報を持つ無線ＩＣタグ２が埋設される。図１はサッカーの場合のフィールドライン１を示した平面図であるが、ゴールラインａとタッチラインｂとの交点、タッチラインｂとハーフウェイラインｃとの交点、ゴールエリアｄを成す各点、ペナルティエリアｅを成す各点等、ライン引きに必要な標点位置（○印位置）に、識別情報を持つ無線ＩＣタグ２が埋設される。
【００１７】
また、前記無線ＩＣタグ２の埋設位置が地表から確認できるように、無線ＩＣタグ２から連続する布や紐、或いは地表に付けた着色などによるマーカー３を設けるようにする。
【００１８】
前記無線ＩＣタグ２としては、電源を搭載しないパッシブ型と、電源を搭載したアクティブ型とが存在するが、タグ寿命、小型化、製品コストの点から電源を搭載しないパッシブ型を使用するのが望ましい。また、読取り距離は数十cmから数十mまでのものが周波数帯毎に設定されているが、読取り距離が大きいと多くのＩＣタグの情報を読み取ってしまうため、読み取り距離が１ｍ以内である135kHz以下、13.56MHz帯のものを使用するか、指向性をアンテナを使用するのが望ましい。更に、無線ＩＣタグ２には書き込み及び書き換え可能なものもあるが、本システムでは無線ＩＣタグ２の固体が識別できれば良いため、製造時に付与されるイニシャル識別情報のみを記憶させた安価なＩＣタグを用いることで十分である。もちろん、書き込み可能な無線ＩＣタグを用いて、識別情報の他、競技名や位置情報、例えばゴールエリア隅角部、ゴールラインとタッチラインとの交点部というような位置情報を持たせておくことも可能である。
【００１９】
前記フィールドに埋設された無線ＩＣタグ２とのデータ交信は、図２に示されるように、ノート型パソコンなどの可搬型コンピュータ４と接続されたＩＣタグ用のリード装置５を介して行われる。なお、前記可搬型コンピュータ４に代えて、記憶・演算機能を備えた表示機器、例えば携帯情報通信端末（ＰＤＡ）や携帯電話などを使用することも可能である。また、リード装置５は、可搬型コンピュータ４やＰＤＡ、携帯電話に内蔵していても良い。前記リーダ装置４と無線ＩＣタグ２との交信方法は、相互誘導方式、誘導電磁界方式、放射電磁界方式等の方式が存在するがいずれの方式であってもよい。
【００２０】
前記可搬型コンピュータ４の記憶装置には、予め競技毎に、前記識別情報を持つ無線ＩＣタグ２の埋設位置と、競技のフィールドラインの標点位置との対応情報とが記憶され、前記リード装置５を介して読み取った無線ＩＣタグ２の位置情報をライン引きを行う競技のフィールドラインとの対応でモニタ４Ａ上に表示可能となっている。
【００２１】
具体的には、図３に示されるように、可搬型コンピュータ４のモニタ４Ａに、ライン引きしようとしている競技のサッカーフィールドラインが表示されるとともに、無線ＩＣタグ２の埋設位置がナンバー表示（No1〜No31）と共に示されるようにし、仮にNo１の無線ＩＣタグ２の識別情報をリード装置５を介して読み取ったならば、該無線ＩＣタグ２の埋設位置と、競技のフィールドラインの標点位置No１との対応情報とが照査され、無線ＩＣタグ２の識別情報からNo１の位置に埋設された無線ＩＣタグであることが確認されたならば、この結果をモニタ上に表示する。この場合、標点位置No１部分が点滅するようにすれば視覚的に明瞭となる。また、モニタ画面には、次の標点位置No２までの方向と距離を、例えば「No２は東へ５２．５m（約６６歩）」というように表示する。
【００２２】
仮に標点No１付近で読み取った無線ＩＣタグ２が他の競技のフィールドラインのものである場合には、その旨の表示を行うとともに、当該サッカーフィールドラインの標点No１までの方向と距離を表示するようにする。
【００２３】
標点位置No１の位置が特定されたならば、No１、No２の延長線上の任意点にピンを突き刺し（その位置にピンを突き刺すと、タグが壊れてしまうおそれがあるため）、ロープの緊結具として用いるようにする。なお、No２０やNo３１のように、ライン上に無い場合は、既知の距離だけ所定方向に移動したシフト位置とすればよい。
以上の作業を順番に繰り返し、標点No１〜No31までの各位置にピンを設置したならば、フィールドラインを描くようにピン間にロープを張り渡し、ラインカーをロープに沿って移動させることによって石灰を所定幅で散布しライン引きを行う。
【００２４】
〔他の形態例〕
(1)上記形態例では、１台のリード装置５及び可搬型コンピュータ４によって、順番に埋設された無線ＩＣタグ２の読み取りを行うようにしたが、２台以上のリード装置５及び可搬型コンピュータ４を使用するとともに、通信機能によりお互いの位置情報を交換することで、ラインの始点と終点を同時的に確認できるようになる。
(2)上記形態例では、想定する競技フィールドライン毎に、コーナー部及び交点部を含む標点位置に識別情報を持つ無線ＩＣタグ２を埋設するようにしたが、前記無線ＩＣタグ２をマトリックス状に配置することも可能である。
(3)前記無線ＩＣタグ２をフィールド地盤に埋設しライン引きに利用したが、設備等に無線ＩＣタグ２を貼り付けておくことで、設備等の管理が可能となる。
(4)コーナーフラッグやゴールポスト等の穴や固定用器具の位置特定に利用すれば、器具を覆土（又は芝張り）することが可能となり、他競技を安全に実施することができる。
【図面の簡単な説明】
【００２５】
【図１】サッカーの場合のフィールドラインを示す平面図である。
【図２】本支援システム１のシステム構成図である。
【図３】モニタ表示画面を示す図である。
【図４】従来のライン引き要領を示す図(A)(B)である。
【符号の説明】
【００２６】
１…フィールドライン、２…無線ＩＣタグ、３…マーカー、４…可搬型コンピュータ、５…リード装置
【図１】
2008188135.tif 000003
【図２】
2008188135.tif 000004
【図３】
2008188135.tif 000005
【図４】
2008188135.tif 000006